(57)【要約】【課題】パッケージ容器を蒸気消毒器として使用できる母乳搾乳具及び哺乳器を提供する。【解決手段】母乳搾乳具１を、ポリプロピレン、ポリシクロオレフィン、ポリエーテルサルホン、ポリエチレンナフタレート、ポリエチレンテレフタレート、ポリフェニルサルホン及びポリカーボネートの中の何れか一つの耐熱性樹脂から保形性容器１１を成形し、該保形性容器１１によりパッケージしたので、保形性容器１１を用いて蒸気消毒を行なうことができるとともに、保管容器として使用できる。また、加熱蒸気が充満して内部の蒸気圧が高まると、通気孔１６を塞ぐシート１７が上方に撓んで該通気孔１６を開き、蒸気圧が所定圧力以上に高まるのを防止できるとともに、保形性容器１１内に充満する加熱蒸気により確実に蒸気消毒することができる。母乳搾乳具１に代えて哺乳器とすることもできる。【選択図】図８
2006345965.tif 000002
【特許請求の範囲】
【請求項１】
ポリプロピレン、ポリシクロオレフィン、ポリエーテルサルホン、ポリエチレンナフタレート、ポリエチレンテレフタレート、ポリフェニルサルホン及びポリカーボネートの中の何れか一つの耐熱性樹脂から、容器本体と該容器本体に対して略密閉可能な蓋体とからなり、該蓋体に形成した通気孔が可撓性かつ耐熱性のシートにより開閉可能に塞がれている保形性容器を成形し、該保形性容器によりパッケージしたことを特徴とする母乳搾乳具。
【請求項２】
前記保形性容器内に、パッケージされる母乳搾乳具を固定保持するとともに、前記容器本体内を区画する仕切板を差し込み装着可能に設けたことを特徴とする請求項１に記載の母乳搾乳具。
【請求項３】
ポリプロピレン、ポリシクロオレフィン、ポリエーテルサルホン、ポリエチレンナフタレート、ポリエチレンテレフタレート、ポリフェニルサルホン及びポリカーボネートの中の何れか一つの耐熱性樹脂から、容器本体と該容器本体に対して略密閉可能な蓋体とからなり、該蓋体に形成した通気孔が可撓性かつ耐熱性のシートにより開閉可能に塞がれている保形性容器を成形し、該保形性容器によりパッケージしたことを特徴とする哺乳器。
【請求項４】
前記保形性容器内には、パッケージされる哺乳器を固定保持するとともに、前記容器本体内を区画する仕切板を差し込み装着可能に設けたことを特徴とする請求項３に記載の哺乳器。
【発明の詳細な説明】
【技術分野】
【０００１】
本発明は、母乳搾乳具及び哺乳器に関するものである。
【背景技術】
【０００２】
衛生用品である母乳搾乳具や哺乳器は、一般的に乳首や母乳保存袋等と共にパッケージされて販売されている。従来のパッケージの形態は、台紙に載せた製品に加熱軟化されたシートを被せ真空吸引により製品に密着させる、いわゆるスキン包装したものとか、樹脂シートに製品が納まるポケットを形成して包装したものとか、紙製の包装箱に包装したもの等がある。これらの包装やパッケージは、開封してしまうと他に転用することができずゴミとして処理される。
【０００３】
一方、母乳搾乳具や哺乳器は、繰り返して使用されるものであり、使用の都度洗浄消毒される。この場合、家庭における手軽な消毒方法として、電子レンジを用いた蒸気消毒がある。哺乳器の蒸気消毒には、特開２００３−６８５号公報や実公平６−３０１９６号公報により示されるように、哺乳器用蒸気消毒器が提案されている。これら、蒸気消毒器は、消毒用に特別に製作されたものであり、母乳搾乳具や哺乳器と別途に購入しなければならなかった。
【特許文献１】特開２００３−６８５号公報
【特許文献２】実公平６−３０１９６号公報
【発明の開示】
【発明が解決しようとする課題】
【０００４】
しかしながら、蒸気消毒に使用できる容器にパッケージして母乳搾乳具や哺乳器を販売することにより、開封後に包装やパッケージをゴミとして片付ける必要もなく、別途蒸気消毒器を購入する必要もない。
本発明は上記した点に着目してなされたもので、開封後のパッケージ容器を蒸気消毒器として使用できる母乳搾乳具及び哺乳器を提供することを目的とするものである。
【課題を解決するための手段】
【０００５】
上記課題を解決するための請求項1に記載の母乳搾乳具は、ポリプロピレン、ポリシクロオレフィン、ポリエーテルサルホン、ポリエチレンナフタレート、ポリエチレンテレフタレート、ポリフェニルサルホン及びポリカーボネートの中の何れか一つの耐熱性樹脂から、容器本体と該容器本体に対して略密閉可能な蓋体とからなり、該蓋体に形成した通気孔が可撓性かつ耐熱性のシートにより開閉可能に塞がれている保形性容器を成形し、該保形性容器によりパッケージしたことを特徴とする。
【０００６】
請求項２に記載の母乳搾乳具は、請求項１に記載の構成において、前記保形性容器内に、パッケージされる母乳搾乳具を固定保持するとともに、前記容器本体内を区画する仕切板を差し込み装着可能に設けたことを特徴とする。
【０００７】
また、請求項３に記載の哺乳器は、ポリプロピレン、ポリシクロオレフィン、ポリエーテルサルホン、ポリエチレンナフタレート、ポリエチレンテレフタレート、ポリフェニルサルホン及びポリカーボネートの中の何れか一つの耐熱性樹脂から、容器本体と該容器本体に対して略密閉可能な蓋体とからなり、該蓋体に形成した通気孔が可撓性かつ耐熱性のシートにより開閉可能に塞がれている保形性容器を成形し、該保形性容器によりパッケージしたことを特徴とする。
【０００８】
請求項４に記載の哺乳器は、請求項３に記載の構成において、前記保形性容器内に、パッケージされる哺乳器を固定保持するとともに、前記容器本体内を区画する仕切板を差し込み装着可能に設けたことを特徴とする。
【発明の効果】
【０００９】
請求項１に記載した母乳搾乳具によれば、ポリプロピレン、ポリシクロオレフィン、ポリエーテルサルホン、ポリエチレンナフタレート、ポリエチレンテレフタレート、ポリフェニルサルホン及びポリカーボネートの中の何れか一つの耐熱性樹脂から、容器本体と該容器本体に対して略密閉可能な蓋体とからなり、該蓋体に形成した通気孔が可撓性かつ耐熱性のシートにより開閉可能に塞がれている保形性容器を成形し、該保形性容器によりパッケージしたので、開封後の保形性容器を用いて、蒸気消毒を行なうことができるとともに、母乳搾乳具の保管容器として使用できる。蒸気消毒を行なう場合、加熱された蒸気が充満して容器内が所定圧以上になると、この蒸気圧により樹脂シートが撓んで通気孔を開く。通気孔が開くまでに加熱された蒸気が容器内に充満して母乳搾乳具を確実に蒸気消毒することができる。
【００１０】
請求項２に記載の母乳搾乳具によれば、保形性容器内に、パッケージされる母乳搾乳具を固定保持するとともに、容器本体内を区画する仕切板を差し込み装着可能に設けたから、適宜差し込み装着個所を選択でき、商品として展示する場合、蒸気消毒の場合、使用後に保管する場合の何れにおいても、確実に母乳搾乳具を固定できる。
【００１１】
また、請求項３に記載した哺乳器によれば、ポリプロピレン、ポリシクロオレフィン、ポリエーテルサルホン、ポリエチレンナフタレート、ポリエチレンテレフタレート、ポリフェニルサルホン及びポリカーボネートの中の何れか一つの耐熱性樹脂から、容器本体と該容器本体に対して略密閉可能な蓋体とからなり、該蓋体に形成した通気孔が可撓性かつ耐熱性のシートにより開閉可能に塞がれている保形性容器を成形し、該保形性容器によりパッケージしたので、開封後の保形性容器を用いて、蒸気消毒を行なうことができるとともに、哺乳器の保管容器として使用できる。蒸気消毒を行なう場合、加熱された蒸気が充満して容器内が所定圧以上になると、この蒸気圧により樹脂シートが撓んで通気孔を開く。通気孔が開くまでに加熱された蒸気が容器内に充満して哺乳器を確実に蒸気消毒することができる。
【００１２】
請求項４に記載の哺乳器によれば、保形性容器内に、パッケージされる哺乳器を固定保持するとともに、容器本体内を区画する仕切板を差し込み装着可能に設けたから、適宜差し込み装着個所を選択でき、商品として展示する場合、蒸気消毒の場合、使用後に保管する場合の何れにおいても、確実に哺乳器を固定できる。
【実施例】
【００１３】
（第１実施例）
本発明の第１実施例について添付図面を参照して説明する。図１は、手しぼり母乳搾乳具（以下、搾乳具という。）１の構成部品の分解斜視図、図２は母乳バッグ6の正面図である。搾乳具１は、シリコンゴム製のカップ体２、ねじ込みキャップ３、母乳バッグホルダー４とから構成されている。カップ体２は、乳房に被せてその上から揉んで母乳をしぼるためのものである。ねじ込みキャップ３は、カップ体２の下端に形成した流出管部２ａを指フック４とともに、母乳バッグホルダー５の上端部に設けたねじ部５ａにねじ込んで固定する。母乳バッグホルダー５の下端部のねじ部５ｂは、母乳バッグ６の上端開口にねじ込んで該母乳バッグ６を連結保持する。
尚、ねじ込みキャップ３により、カップ体２を後述する哺乳器の上端ねじ部に固定することもできる。
【００１４】
図３は、上記搾乳具１の各構成部品２〜６を納めてパッケージする保形性容器１１の平面図、図４は同、正面図、図５は保形性容器１１を開けた状態の平面図である。保形性容器１１は透明若しくは有色透明の樹脂製の一体成形品であり、容器本体１２と蓋体１３とを一対の薄肉ヒンジ１４により開閉可能に連結したものである。この保形性容器１１は、ポリプロピレン、ポリシクロオレフィン、ポリエーテルサルホン、ポリエチレンナフタレート、ポリエチレンテレフタレート、ポリフェニルサルホン及びポリカーボネートの中の何れか一つの耐熱性樹脂から一体成形される。
【００１５】
上記蓋体１３の上面には、嵌着穴１５と３個の長孔からなる通気孔１６が形成されている。通気孔１６は、シリコンゴム製のシート１７により塞がれている。シート１７は、一端部に一体成形した嵌着ボス１８を嵌着穴１５に押し込んで取り付けられている。蓋体１３を閉じると、蓋体１３の周縁下端１３ａが、容器本体１２の上端部外周に突成したフランジ部１２ａに当接して容器内部が略密閉される。容器本体１２を閉じる蓋体１３は、フランジ部１２ａに一体成形したロック係合片１９を、蓋体１３に形成したロック片２０の係合孔２１に係合することによりロックされる。
【００１６】
また、容器本体１２には、図５及び図６に示すような仕切板２２，２３を間隔を置いて差し込み自由に装着できるように構成されている。仕切板２２，２３には、嵌装凹部２２ａ，２３ａが形成されている。搾乳具１は、仕切板２２，２３間に差し渡すとともに、カップ体２の流出管部２ａを仕切板２２の嵌装凹部２２ａに、母乳バッグホルダー４の下端部のねじ部４ｂを仕切板２３の嵌装凹部２３ａにそれぞれ嵌装して固定する。蓋体１３内には図５及び図７に示す保持板２４を固定し、閉じたとき保持板２４に設けた円弧形凹部２４ａを、母乳バッグホルダー４の外周に当接させて押圧保持する。
【００１７】
図８は、母乳バッグ６とともに搾乳具１を保形性容器１１内に納めてパッケージした状態の斜視図である。搾乳具１はこのパッケージ状態で販売される。また、使用に際しての蒸気消毒は、同様に搾乳具１等を保形性容器１１内に納め、仕切板２２で区画されたスペースに適量の水を入れ、電子レンジでこの水を加熱蒸発させることにより行なう。容器本体１２には、適量を示す水位目盛りを設けることもできる。
【００１８】
上記に説明したように搾乳具１を、ポリプロピレン、ポリシクロオレフィン、ポリエーテルサルホン、ポリエチレンナフタレート、ポリエチレンテレフタレート、ポリフェニルサルホン及びポリカーボネートの中の何れか一つの耐熱性樹脂から、容器本体１２と該容器本体１２に対して略密閉可能な蓋体１３とからなり、該蓋体１３に形成した通気孔１６がシリコンゴム製のシート１７により開閉可能に塞がれている保形性容器１１を成形し、該保形性容器１１によりパッケージしたので、開封後の保形性容器１１を用いて、蒸気消毒を行なうことができるとともに、搾乳具１の保管容器として使用できる。蒸気消毒を行なう場合、加熱された蒸気が充満して容器内が所定圧以上になると、この蒸気圧によりシート１７が撓んで通気孔１６を開く。通気孔１６が開くまでに加熱された蒸気が容器内に充満して搾乳具１を確実に蒸気消毒することができる。
尚、上記搾乳具１の他にピストン式搾乳具を、上記保形性容器１１によりパッケージすることもできる。
【００１９】
（第２実施例）
図９は本発明の第２実施例である哺乳器を、保形性容器１１にパッケージした状態の断面図である。哺乳瓶３１は、上記第１実施例のように差し込み装着可能に設けた仕切板や保持板により２本平行に並べて保持固定され、フード等の付属部品３２とともにパケージされている。また、保形性容器１１内にすのこ状のトレー２５を装着して、乳首３３等を載せるようにすることもできる。これらも、保形性容器内で蒸気消毒を施すことができるとともに、上記第１実施例の搾乳具１と同様の作用効果を奏することができる。
【図面の簡単な説明】
【００２０】
【図１】搾乳具の分解斜視図である。
【図２】母乳バッグの正面図である。
【図３】保形性容器の平面図である。
【図４】同、正面図である。
【図５】同、開いた状態の平面図である。
【図６】仕切板の正面図である。
【図７】保持板の正面図である。
【図８】パッケージ状態を示した斜視図である。
【図９】哺乳器のパッケージ状態を示した断面図である。
【図１０】トレーの平面図である。
【符号の説明】
【００２１】
１  搾乳具
１１  保形性容器
１２  容器本体
１３  蓋体
１６  通気孔
１７  シート
２２，２３  仕切板
３１  哺乳瓶
【図１】
2006345965.tif 000003
【図２】
2006345965.tif 000004
【図３】
2006345965.tif 000005
【図４】
2006345965.tif 000006
【図５】
2006345965.tif 000007
【図６】
2006345965.tif 000008
【図７】
2006345965.tif 000009
【図８】
2006345965.tif 000010
【図９】
2006345965.tif 000011
【図１０】
2006345965.tif 000012